(57)【要約】【課題】この発明は、画像を複数のプロトコルの宛先に同時に送信する場合に、プロトコルに応じた画質の画像を送信することができる画像処理装置を提供することを目的とする。【解決手段】原稿画像を読み取るための画像読取手段、プロトコルが異なる複数の宛先を同報送信先として、指定することが可能な宛先指定手段、宛先指定手段によって宛先が指定された後に送信開始指令が入力されたときに、画像読取装置によって原稿画像を読み取らせ、画像読取装置によって読み取られた画像データを記憶手段に保存させる手段、および宛先指定手段によって指定された各宛先毎に、記憶手段に記憶した画像データから、その宛先に対応するプロトコルに応じた画質の画像データを生成して、その宛先に送信する手段を備えている。【選択図】図５
2007235589.tif 000002
【特許請求の範囲】
【請求項１】
原稿画像を読み取るための画像読取手段、
プロトコルが異なる複数の宛先を同報送信先として、指定することが可能な宛先指定手段、
宛先指定手段によって宛先が指定された後に送信開始指令が入力されたときに、画像読取装置によって原稿画像を読み取らせ、画像読取装置によって読み取られた画像データを記憶手段に保存させる手段、および                                                  宛先指定手段によって指定された各宛先毎に、記憶手段に記憶した画像データから、その宛先に対応するプロトコルに応じた画質の画像データを生成して、その宛先に送信する手段、
を備えている画像処理装置。
【請求項２】
宛先に対応するプロトコルに応じた画質の画像データとは、宛先に対応するプロトコルがFAX またはInternetFAX である場合には低画質の画像データであり、宛先に対応するプロトコルがE-mail、SMB またはFTP である場合には、高画質の画像データであることを特徴とする請求項１に記載の画像処理装置。
【発明の詳細な説明】
【技術分野】
【０００１】
この発明は、複写機能、ファクシミリ機能等を備えた複合機、ファクシミリ装置などの画像処理装置に関する。
【背景技術】
【０００２】
複数のプロトコル（FAX,InternetFAX,SMB 等) で送信可能な画像処理装置において、宛先の指定を複数のプロトコル混在で行なうことができる宛先指定手段を備え、複数のプロトコルの宛先が指定された場合に、原稿を読み取り後に複数プロトコルの宛先に順次送信を行なうものが既に開発されている（特開２００１−３４５９８７号公報参照）。
【０００３】
また、ＦＡＸ送信と同時に印刷を行なうことができる画像処理装置も既に開発されている（特開２０００−２９５３８７号公報参照）。
【０００４】
ところで、ＳＭＢ(Server Message Block)やＦＴＰ(File Transfar Protocol)で送信する場合の画像は、ＰＣで保存し再利用することを目的としたものであるため、画質としては、できるだけ原稿に近い画質が求められる。これに対し、ＦＡＸで画像を送信する場合は、送信に電話回線を利用するため、できるだけ通信時間がかからないように画像処理した画質が求められている。
【０００５】
従来は、読み取った画像を、ＳＭＢとＦＡＸとの両方のプロトコルによって同時に送信する場合、いずれか一方のプロトコルで画像を送信する場合に適した画質で、送信を行なっていた。ＳＭＢで画像を送信する場合に適した高画質の画像を、ＳＭＢとＦＡＸとの両方のプロトコルによって送信する場合には、ＦＡＸ送信においては通信時間が長くなる。ＦＡＸで画像を送信する場合に適した低画質の画像を、ＳＭＢとＦＡＸとの両方のプロトコルによって送信する場合には、ＳＭＢ送信においては原稿の控え保存としての用途に使いにくくなる。
【特許文献１】特開２００１−３４５９８７号公報
【特許文献２】特開２０００−２９５３８７号公報
【発明の開示】
【発明が解決しようとする課題】
【０００６】
この発明は、画像を複数のプロトコルの宛先に同時に送信する場合に、プロトコルに応じた画質の画像を送信することができる画像処理装置を提供することを目的とする。
【課題を解決するための手段】
【０００７】
請求項１に記載の発明は、原稿画像を読み取るための画像読取手段、プロトコルが異なる複数の宛先を同報送信先として、指定することが可能な宛先指定手段、宛先指定手段によって宛先が指定された後に送信開始指令が入力されたときに、画像読取装置によって原稿画像を読み取らせ、画像読取装置によって読み取られた画像データを記憶手段に保存させる手段、および宛先指定手段によって指定された各宛先毎に、記憶手段に記憶した画像データから、その宛先に対応するプロトコルに応じた画質の画像データを生成して、その宛先に送信する手段を備えていることを特徴とする。
【０００８】
請求項２に記載の発明は、請求項１に記載の発明において、宛先に対応するプロトコルに応じた画質の画像データとは、宛先に対応するプロトコルがFAX またはInternetFAX である場合には低画質の画像データであり、宛先に対応するプロトコルがE-mail、SMB またはFTP である場合には、高画質の画像データであることを特徴とする。
【発明の効果】
【０００９】
この発明によれば、画像を複数のプロトコルの宛先に同時に送信する場合に、プロトコルに応じた画質の画像を送信することができるようになる。
【発明を実施するための最良の形態】
【００１０】
以下、図面を参照して、本発明を、複合機に適用した場合の実施例について説明する。
【実施例１】
【００１１】
図１は、複合機の通信環境を示している。
【００１２】
複合機１は、スキャナ機能、複写機能、プリンタ機能、複数のプロトコルによる通信機能を備えている。この複合機１では、FAX 送信、E-mail送信、SMB (Server Message Block)送信、FTP(File Transfar Protocol) 送信、InternetFAX 送信が可能である。
【００１３】
複合機１は、FAX 送信のために、電話回線２に接続されている。また、複合機１は、E-mail送信、SMB 送信、FTP 送信、InternetFAX 送信のために、社内LAN ３を介してインターネット網４に接続されている。
【００１４】
図２は、複合機１の主要部の電気的構成を示している。
【００１５】
複合機１は、ＣＰＵ１０を備えている。ＣＰＵ１０には、そのプログラム等を記憶するＲＯＭ１１、必要なデータを記憶するＲＡＭ１２および画像データを記憶するための画像蓄積メモリ１３がバスを介して接続されている。また、ＣＰＵ１０には、メッセージＲＯＭ１４、ＶＲＡＭ１５およびＬＣＤコントローラ１６がバスを介して接続されている。ＬＣＤコントローラ１６には、ＬＣＤ１７が接続されている。
【００１６】
図３は、複合機１の操作部の外観を示している。
【００１７】
複合機１の操作部には、ＬＣＤ１７、テンキーの他、複数のキーが設けられている。２１はスタートキーである。２２は複写機能を選択するためのCopyキーである。２３は、複数のプロトコルによる通信機能を実行するためのSendキーである。
【００１８】
図４は、送信機能画面を示している。
【００１９】
送信機能画面は、Sendキーが押されることによってＬＣＤ１７に表示される。ユーザは、原稿を送信する際には、原稿を原稿読み取り装置にセットした後、送信機能画面上で送信先（宛先）を指定する。そして、スタートキー２１を押下げる。これにより、原稿画像が読み取られ、ユーザによって指定された宛先に原稿画像が送信される。
【００２０】
送信機能画面上において、複数のプロトコル（FAX 、E-mail、SMB 、FTP 、InternetFAX ）の宛先を指定することができるようになっている。宛先の指定は、直接入力、アドレス帳からの選択、ワンタッチキーの押し下げ等によって行なうことができる。なお、SMB 、FTP の宛先は、送信先ＰＣのＩＰアドレスおよびフォルダを特定するための情報となる。
【００２１】
図４の例では、ワンタッチキー３１、３２、３３が押し下げられることにより、３つの宛先が指定されている。つまり、ワンタッチキー３１の押下げにより、当該キー３１に登録されているＡ会社のＦＡＸ番号が宛先として指定され、ワンタッチキー３２の押下げにより、当該キー３２に登録されているＡ会社の第１のメールアドレスが宛先として指定され、ワンタッチキー３３の押下げにより、当該キー３３に登録されているＡ会社の第２のメールアドレスが宛先として指定されている。
【００２２】
図５は、送信機能画面上で宛先が指定された後にスタートキーが押下られたときに、複合機によって行なわれる送信処理手順を示している。
【００２３】
送信機能画面上で宛先が指定された後にスタートキーが押下られると、ＣＰＵ１０は、原稿読み取り装置による原稿画像の読み取り処理を開始させる（ステップＳ１）。次に、ＣＰＵ１０は、原稿読み取り装置によって読み取られた画像データを、デジタルの画像データ（Raw データ: 入力センサからの出力に一番近いデータ) に変換して、画像蓄積メモリ１３に保存する（ステップＳ２）。
【００２４】
次に、送信機能画面上で指定された宛先に対応するプロトコルの中に、FAX またはInternetFAX が含まれているか否かを判別する（ステップＳ３）。送信機能画面上で指定された宛先に対応するプロトコルの中に、FAX またはInternetFAX が含まれている場合には、送信機能画面上で指定された宛先に対応するプロトコルの中に、E-mail、SMB またはFTP が含まれているか否かを判別する（ステップＳ４）。
【００２５】
上記ステップＳ４において、送信機能画面上で指定された宛先に対応するプロトコルの中に、E-mail、SMB またはFTP が含まれていると判別した場合には、画像蓄積メモリ１３に保存されているRaw データに基づいてＦＡＸ送信用の低画質の画像データを生成して、画像蓄積メモリ１３に保存するとともに（ステップＳ５）、画像蓄積メモリ１３に保存されているRaw データに基づいてＰＣでの保存・利用に適した高画質の画像データを生成して、画像蓄積メモリ１３に保存する（ステップＳ６）。低画質の画像データと高画質の画像データとの組合せとしては、例えば、単純２値化データ（低画質）と誤差拡散処理によって得られた２値データ（高画質）との組合せ、単純２値化データ（低画質）と多値データ（高画質）との組合せ等がある。なお、低画質の画像データとして、低画質かつ低解像度の画像データを用い、高画質の画像データとして高画質かつ高解像度の画像データを用いてもよい。
【００２６】
そして、FAX またはInternetFAX の宛先に対しては、上記ステップＳ５で生成した低画質の画像データを、そのプロトコルに応じたフォーマットに符号化した後、得られた符号化データを送信する（ステップＳ７）。また、E-mail、SMB またはFTP の宛先に対しては、上記ステップＳ６で生成した高画質の画像データを、そのプロトコルに応じたフォーマットに符号化した後、得られた符号化データを送信する（ステップＳ８）。
【００２７】
上記ステップＳ３において、送信機能画面上で指定された宛先に対応するプロトコルの中に、FAX またはInternetFAX が含まれていないと判別した場合においては、画像蓄積メモリ１３に保存されているRaw データに基づいてＰＣでの保存・利用に適した高画質の画像データを生成して、画像蓄積メモリ１３に保存する（ステップＳ９）。そして、E-mail、SMB またはFTP の宛先に対して、上記ステップＳ９で生成した高画質の画像データを、そのプロトコルに応じたフォーマットに符号化した後、得られた符号化データを送信する（ステップＳ１０）。
【００２８】
上記ステップＳ４において、送信機能画面上で指定された宛先に対応するプロトコルの中に、E-mail、SMB またはFTP が含まれていないと判別した場合においては、画像蓄積メモリ１３に保存されているRaw データに基づいてＦＡＸ送信用の低画質の画像データを生成して、画像蓄積メモリ１３に保存する（ステップＳ１１）。そして、FAX またはInternetFAX の宛先に対して、上記ステップＳ１１で生成した低画質の画像データを、そのプロトコルに応じたフォーマットに符号化した後、得られた符号化データを送信する（ステップＳ１２）。
【００２９】
上記実施例によれば、FAX 送信およびInternetFAX 送信では、低画質の画像を送信することができ、E-mail送信、SMB 送信、FTP 送信では高画質の画像を送信することができるようになり、プロトコルに応じた画質の画像を送信できるようになる。
【図面の簡単な説明】
【００３０】
【図１】複合機の通信環境を示す模式図である。
【図２】複合機１の主要部の電気的構成を示すブロック図である。
【図３】複合機１の操作部の外観を示す平面図である。
【図４】送信機能画面の一例を示す模式図である。
【図５】送信機能画面上で宛先が指定された後にスタートキーが押下られたときに、複合機によって行なわれる送信処理手順を示すフローチャートである。
【符号の説明】
【００３１】
１  複合機
２  電話回線
３  LAN 
４  インターネット網
１０  ＣＰＵ
１１  ＲＯＭ
１２  ＲＡＭ
１３  画像蓄積メモリ
【図１】
2007235589.tif 000003
【図２】
2007235589.tif 000004
【図３】
2007235589.tif 000005
【図４】
2007235589.tif 000006
【図５】
2007235589.tif 000007